(57)【要約】【課題】なりすましを防止することが可能な電子機器システムを提供する。【解決手段】リモートコントローラは、ユーザの指紋が入力される指紋センサ６３と、センサ６３から入力される指紋データと指紋データに関連づけられた識別データとを有する認証情報管理部６５と、前記入力部から入力されるデータに応じたユーザ識別データが前記識別情報管理部に登録されているか否かを判別する認証処理部６４と、前記ユーザ識別データに関連づけられている識別データを送信するための送信部６６とを有し、電子機器１０は、送信部６６から送信される識別データを受信する受信部３２と、受信部３２が受信した識別データに応じたユーザ情報が登録されるレジスタ３６と、ユーザに応じた設定が登録されるユーザ情報ＤＢ５１と、ユーザ情報ＤＢ５１に基づいて前記レジスタに登録されるユーザに応じた設定に基づいた処理を行う制御部３０とを有する。【選択図】    図４
2007300402.tif 000002
【特許請求の範囲】
【請求項１】
電子機器と、前記電子機器を遠隔操作するリモートコントロール装置とを含む電子機器システムであって、
前記リモートコントロール装置は、ユーザを識別するためのデータが入力される入力部と、前記入力部から入力されるデータに応じたユーザ識別データと前記ユーザ識別データに関連づけられた識別データとを有する識別情報管理部と、前記入力部から入力されるデータに応じたユーザ識別データが前記識別情報管理部に登録されているか否かを判別する手段と、前記ユーザ識別データが登録されている場合に前記ユーザ識別データに関連づけられている識別データを送信するための送信部とを有し、
前記電子機器は、前記送信部から送信される前記識別データを受信する受信部と、前記受信部が受信した識別データに応じたユーザが登録される使用ユーザ登録部と、ユーザに応じた設定が登録されるユーザ別設定管理部と、前記使用ユーザ登録部に登録されているユーザに応じて前記ユーザ別設定管理部に登録されている設定に基づいた処理を行う制御手段とを有することを特徴とする電子機器システム。
【請求項２】
放送信号を受信し、受信した放送信号を復調して映像音声信号を出力するチューナ部と、
前記チューナ部からの前記映像音声信号に対応する映像音声データを記録する録画部と、
前記録画部に録画される映像音声データを再生する再生部とを具備することを特徴とする請求項１記載の電子機器システム。
【請求項３】
前記ユーザ別設定管理部は、ユーザが前記録画部に記録されている映像音声データを操作できるか否かの情報を管理する前記映像音声データプロパティを有し、
前記制御部は、前記使用ユーザ登録部に登録されているユーザが、前記映像音声データの操作できるユーザとして前記映像音声データプロパティに登録されていない場合、前記映像音声データの操作を禁止することを特徴とする請求項２記載の電子機器システム。
【請求項４】
前記映像音声データプロパティは前記映像音声データの再生処理を行ったユーザの情報を有し、
前記制御手段は、前記映像音声データの操作を行うことができる全てのユーザが前記映像音声データの再生処理を行った場合、前記映像音声データを削除することを特徴とする請求項３記載の電子機器システム。
【請求項５】
ユーザの前記リモートコントロール装置の操作に応じて生成される予約録画情報を記憶する予約管理部と、
ユーザの予約優先順位が登録されている予約優先順位管理部と、
異なるユーザが重複する時間帯に予約録画情報を前記予約管理部に登録した場合に、前記予約優先順位管理部に登録されている予約優先順位が高いユーザが登録した予約録画情報に基づいて前記チューナ部および録画部を制御して予約録画を行う予約制御部とを具備することを特徴とする請求項２記載の電子機器システム。
【請求項６】
前記ユーザ別設定管理部は、ユーザに応じたユーザインタフェースの設定を有し、
前記制御部は、前記使用ユーザ登録部に登録されているユーザに応じて前記ユーザ別設定管理部に登録されているユーザインタフェースを表示させることを特徴とする請求項１記載の電子機器システム。
【請求項７】
前記制御部は、前記使用ユーザおよび前記ユーザ別設定管理部に登録されている設定に応じて、前記電子機器の機能を制限することを特徴とする請求項１記載の電子機器システム。
【請求項８】
電子機器と、前記電子機器を遠隔操作するリモートコントロール装置とを含む電子機器システムの制御方法であって、
前記リモートコントロール装置は、ユーザを識別するためのデータが入力される入力部と、
前記リモートコントロール装置が有する入力部から入力されたユーザを識別するためのデータに応じたユーザ識別データが前記リモートコントロール装置が有する識別情報管理部に登録されているか否かを判別し、前記ユーザ識別データが登録されている場合に前記ユーザ識別データに関連づけられている識別データを送信し、
前記電子機器は、前記送信部から送信される前記識別データを受信し、
前記受信した識別データに応じたユーザを登録し、
前記電子機器が有するユーザに応じた設定が登録されるユーザ別設定管理部に基づいて前記登録された使用ユーザに応じた処理を行う電子機器システムの制御方法。
【請求項９】
前記電子機器は、放送信号を受信し、受信した放送信号を復調して映像音声信号を出力するチューナ部と、前記チューナ部からの前記映像音声信号に対応する映像音声データを記録する録画部と、前記録画部に録画される映像音声データを再生する再生部とを具備することを特徴とする請求項８記載の電子機器システムの制御方法。
【請求項１０】
前記ユーザ別設定管理部は、ユーザが前記録画部に記録されている映像音声データを操作できるか否かの情報を管理する前記映像音声データプロパティを有し、前記制御部は、前記登録されているユーザが、前記映像音声データの操作できるユーザとして前記映像音声データプロパティに登録されていない場合、前記映像音声データの操作を禁止することを特徴とする請求項９記載の電子機器システムの制御方法。
【請求項１１】
前記映像音声データプロパティは前記映像音声データの再生処理を行ったユーザの情報を有し、
前記映像音声データの操作を行うことができるユーザが前記映像音声データの再生処理を行った場合、前記映像音声データの再生処理を行っていないユーザがいるか否かを判別し、
前記再生処理を行っていないユーザがいないと判別した場合に、前記映像音声データを削除することを特徴とする請求項１０記載の電子機器システムの制御方法。
【請求項１２】
ユーザの前記リモートコントロール装置の操作に応じて生成される予約録画情報を記憶する予約管理部と、
前記ユーザ別設定管理部はユーザの優先順位の情報を有し、
前記登録されたユーザが録画予約を行った後に、重複する時間帯に別のユーザが録画予約の設定を行っているか否かを判別し、
前記登録されたユーザの優先順位が前記別のユーザの優先順位より高いか否かを判別し、
前記登録されたユーザの優先順位が高い場合に前記別のユーザが設定した録画予約の設定を無効にし、
前記登録されたユーザの優先順位が高くない場合に前記登録されたユーザが設定した録画予約の設定を無効にすることを特徴とする請求項９記載の電子機器システムの制御方法。
【請求項１３】
前記ユーザ別設定管理部に基づいて前記登録したユーザに応じて前記電子機器の機能を制限することを特徴とする請求項８記載の電子機器システムの制御方法。
【請求項１４】
前記ユーザ別設定管理部は、ユーザに応じたユーザインタフェースの設定を有し、
前記使用ユーザ登録部に登録されているユーザに応じて前記ユーザ別設定管理部に登録されているユーザインタフェースを表示することを特徴とする請求項８記載の電子機器システムの制御方法。
【発明の詳細な説明】
【技術分野】
【０００１】
本発明は、電子機器と、前記電子機器を遠隔操作するリモートコントロール装置とを含む電子機器システムに関する。
【背景技術】
【０００２】
電子機器の遠隔操作を行うリモートコントローラを複数個用意し、リモートコントローラ毎に異なる動作を可能とする技術が開示されている（特許文献１）。
【特許文献１】特開２００２−３５４５６１
【発明の開示】
【発明が解決しようとする課題】
【０００３】
上記した技術でユーザに応じて設定を変えることができる。ところが、リモートコントローラを他人が使うことができ、簡単になりすますことができるという問題があった。
【０００４】
本発明の目的は、なりすましを防止することが可能な電子機器システムを提供することにある。
【課題を解決するための手段】
【０００５】
本発明の一例に係わる電子機器と、前記電子機器を遠隔操作するリモートコントロール装置とを含む電子機器システムであって、前記リモートコントロール装置は、ユーザを識別するためのデータが入力される入力部と、前記入力部から入力されるデータに応じたユーザ識別データと前記ユーザ識別データに関連づけられた識別データとを有する識別情報管理部と、前記入力部から入力されるデータに応じたユーザ識別データが前記識別情報管理部に登録されているか否かを判別する手段と、前記ユーザ識別データが登録されている場合に前記ユーザ識別データに関連づけられている識別データを送信するための送信部とを有し、前記電子機器は、前記送信部から送信される前記操作信号および前記識別データを受信する受信部と、前記受信部が受信した識別データに応じたユーザが登録される使用ユーザ登録部と、ユーザに応じた設定が登録されるユーザ別設定管理部と、前記ユーザ別設定管理部に基づいて前記使用ユーザ登録部に登録されるユーザに応じた設定に基づいた処理を行う制御手段とを有することを特徴とする。
【発明の効果】
【０００６】
本発明によれば、なりすましを防止することが可能になる。
【発明を実施するための最良の形態】
【０００７】
本発明の実施の形態を以下に図面を参照して説明する。
【０００８】
図１には、本発明の一実施形態に係る電子機器としての録画再生装置（以下、ビデオレコーダ）およびリモートコントロール装置（以下、リモートコントローラ）の構成が示されている。
【０００９】
初めに、図１は、本発明の一実施形態に係る録画再生装置の構成の一例を示すブロック図である。ビデオレコーダ１０は、２種類のディスクドライブ部を有する。まず、ビデオファイルを構築できる情報記録媒体であるメディアとしての光ディスクＤを回転駆動し、情報の読み書きを実行する光ディスクドライブ部１９を有する。又、第２のメディアとしてのハードディスクを駆動するハードディスクドライブ１８を有する。制御部３０は、全体の動作を司るべくデータバスを介して各部に接続されている。
【００１０】
又、ビデオレコーダ１０は、録画側を構成するエンコーダ部２１と、再生側を構成するデコーダ部２３と、装置本体の動作を制御する制御部３０とを主たる構成要素としている。
【００１１】
チューナ部１３は、放送局Ｔから送信される放送番組データの受信とチャンネル選択のための選局処理とを行うデバイスであり、外部のアンテナに接続されている。チューナ部１３から入力される放送波をエンコーダ部２１に送信する。
【００１２】
又、ビデオレコーダ１０は、エンコーダ部２１と、エンコーダ部２１の出力を受け、デコードされたコンテンツのデータが格納されるハードディスクドライブ１８、光ディスクドライブ部１９を有している。更に、ビデオレコーダ１０は、ハードディスクドライブ１８、光ディスクドライブ部１９からのコンテンツのデータを受けてデコードするデコーダ部２３と、タイマーマイコン部３４、表示制御部４３、音声映像処理部２４を有している。これらの各部は、データバスを介して制御部３０に接続されている。更に、音声映像処理部２４の出力は、外部の受像機４１に接続される。
【００１３】
タイマーマイコン部３４は、計時用のタイマーを内蔵したマイクロコンピュータであり、リモートコントローラ６０から送信される信号を処理するためのサブＣＰＵとして機能する。このタイマーマイコン部３４は、録画予約されたＴＶ番組毎にそのチャネル番号、タイトル、録画開始時間、録画終了時間等を管理する機能も有する。タイマーマイコン部３４に内蔵されたタイマーは現在日時を計時する時計モジュールとして機能する。録画予約されたそれぞれのＴＶ番組の録画開始時間または録画終了時間が到来した時、タイマーマイコン部３４はリモコンコード処理機能を有している。このリモコンコード処理機能は、リモートコントローラ６０から受信したリモコンコードによって要求された動作を制御部３０と共同して実行する機能である。
【００１４】
更に、ビデオレコーダ１０は、データバスを介して制御部３０に接続され、リモートコントローラ６０の操作を受ける赤外線信号受信部３２を有している。ここで、リモートコントローラ６０は、ビデオレコーダ１０の本体に設けられる操作ボタンとほぼ同等の操作を可能とするものであり、ハードディスクドライブ１８や光ディスクドライブ部１９の記録再生指示や、編集指示、又、チューナの操作、予約録画の設定等、各種設定が可能である。
【００１５】
リモートコントローラ６０は、制御部６１、操作ボタン６２、指紋センサ６３、認証処理部６４、認証情報管理部６５、および赤外線信号送信部６６を有する。操作ボタン６２は、ビデオレコーダ１０を操作するためボタンを有する。指紋センサ６３は、ユーザの指紋をスキャンし、指紋データを採取する。認証情報管理部６５は、指紋データおよび指紋データに対応する識別データが格納されている。認証処理部６４は、指紋センサ６３で読み取った指紋データが認証情報管理部６５に登録されているか否かを判別し、登録されている場合に識別データを制御部６１に通知する。赤外線信号送信部６６は、制御部６１の制御により、ユーザが操作した操作ボタン６２に応じた赤外線信号、識別データに対応する赤外線信号を送信する。
【００１６】
ところで、ビデオレコーダ１０のハードディスクドライブ１８内には、コンテンツのデータ以外に、ユーザ情報データベース（ＤＢ）５１、コンテンツデータベース（ＤＢ）５２、およびコンテンツプロパティデータベース（ＤＢ）５３が格納されている。
【００１７】
ユーザ情報ＤＢ５１は、図２に示すように、ユーザＩＤ、ユーザ名、ユーザ識別情報等が保存されている。また、コンテンツプロパティＤＢ５３は、図３に示すように、コンテンツＩＤ（Ｃ−ＩＤ）、コンテンツ名、ユーザ情報ＤＢのユーザＩＤに対応するアクセス可能ユーザＩＤ、各種コンテンツプロパティ情報（録画日時、画質、視聴／未視聴情報等）が保存している。コンテンツＤＢ５２には、コンテンツＩＤに対応した各コンテンツ自体が保存されている。
【００１８】
また、コンテンツＤＢ５２にはハードディスクドライブ１８に格納されているコンテンツ（映像音声データ）の情報、例えばタイトル、録画日時、画質、録画したユーザＩＤ、等が格納されている。
【００１９】
次に、ユーザがリモートコントロールを用いて操作するときの処理の手順を図４を参照して説明する。
【００２０】
指紋センサ６３がユーザの指紋が読み取る（ステップＳ１１）と、読み取った指紋のデータは認証処理部６４に転送される。認証処理部６４は、指紋のデータに対応する指紋のデータが認証情報管理部に登録されているか否かを判別する（ステップＳ１２）。登録されていないと判別した場合（ステップＳ１２のＮｏ）、認証処理部６４は指紋センサ６３から新たな指紋のデータが転送されるのを待つ。
【００２１】
登録されていると判別した場合（ステップＳ１２のＹｅｓ）、認証処理部６４は、認証に成功したこと、および読み取った指紋に対応する識別データを制御部６１に通知する（ステップＳ１３）。
【００２２】
制御部６１は、赤外線信号送信部６６から識別データに対応した赤外線信号を送信する（ステップＳ１４）。赤外線通信で転送されるデータの転送レートは低く、指紋センサで読み取った指紋のデータを赤外線通信で送信するに時間がかかる。しかし、読み取った指紋センサの認証処理をリモートコントロール側で行い、認証が成功した場合にユーザの識別情報をビデオレコーダに送信する。ユーザ識別情報のデータ量は小さいので、データの転送レートが遅い赤外線通信であっても送信時間が短くてすむ。
【００２３】
ビデオレコーダ側の赤外線信号受信部３２が識別データに対応する赤外線信号を受信する（ステップＳ１５）と、赤外線信号受信部３２は受信した信号を識別データに変換する。そして、赤外線信号受信部３２は、識別データを制御部３０に通知する（ステップＳ１６）。
【００２４】
制御部３０は、ユーザ情報ＤＢ５１を参照し、識別データに対応するユーザＩＤを読み出し（ステップＳ１７）、読み出したユーザＩＤをメモリ３５上のレジスタ３６に登録する（ステップＳ１８）。ここで、制御部３０は、ユーザＩＤに対応するユーザがリモートコントロール装置を使用していると識別する。これ以後、制御部３０は、レジスタ３６に登録されているユーザＩＤを参照し、ユーザＩＤに応じた処理を行う。
【００２５】
その後、制御部３０は、条件に応じてレジスタ３６に登録されているユーザＩＤを削除する(ステップＳ１９，ステップＳ２０)。条件としては、ユーザがビデオレコーダ１０をスタンバイ状態にした場合、ユーザがビデオレコーダ１０の主電源を切った場合、ユーザの操作が完了してから所定時間経過した場合等がある。
【００２６】
以下に、ユーザＩＤに応じた処理の例を説明する。
【００２７】
例えば、ユーザが、コンテンツ一覧を表示するための指示を出した（例えば、コンテンツ一覧を表示するためのリモコンのボタンを押した）ならば、コンテンツの一覧等を表示する際に、ユーザ識別情報に基づいて、リモートコントロールを操作しているユーザの視聴／未視聴情報を表示する。
【００２８】
コンテンツ一覧には、ユーザが視聴権限を持つコンテンツの一覧が表示される。ビデオレコーダ１０に保存されているコンテンツの中に、視聴権限を持たないコンテンツがある場合、そのコンテンツは一覧に表示されない。これにより、例えば子供等の特定の者に視聴させたくないコンテンツについては、その存在自体を隠すことができる。即ち、パレンタルロックされているコンテンツの存在を隠すことができる。
【００２９】
コンテンツの一覧を表示する場合の処理の例を図５のフローチャートを参照して説明する。
【００３０】
ユーザが、コンテンツ一覧を表示するための操作信号を受信する（ステップＳ３１）と、制御部３０はレジスタ３６に登録されているユーザＩＤを取得する（ステップＳ３２）。制御部３０は、コンテンツプロパティＤＢ５３を参照し、取得したユーザＩＤに応じてユーザが視聴／操作可能な権限を持つコンテンツＩＤを取得する（ステップＳ３３）。そして、取得したコンテンツＩＤおよびコンテンツＤＢ５２から表示制御部４３によってユーザが視聴／操作可能な権限を持つコンテンツの一覧を表示するためのデータを生成し、受像機４１に表示する（ステップＳ３４）。
【００３１】
また、ユーザが各コンテンツの詳細プロパティ画面を表示するための操作を行うと、図６に示すように、本コンテンツを視聴できる権限を持つユーザ情報が表示され、各ユーザの視聴／未視聴情報を確認できる。また、コンテンツの削除ボタンが押されたときには、未視聴ユーザがいる場合には、その旨を示す警告メッセージを画面に表示する。
【００３２】
自動削除機能を備える録画機等の場合は、該当コンテンツを視聴する権限を持つ全ユーザが視聴したら、それを自動削除する。未視聴ユーザがいる場合は、該当コンテンツを自動削除しない。
【００３３】
自動的にコンテンツを削除する処理について図７のフローチャートを参照して説明する。
【００３４】
再生が終了すると、制御部３０はレジスタ３６に登録されているユーザＩＤを読み出し、コンテンツプロパティＤＢ５３の再生していたコンテンツの視聴済みのユーザＩＤ欄に登録する（ステップＳ４１）。制御部３０は、コンテンツプロパティＤＢ５３のアクセス可能ユーザＩＤと視聴済みユーザＩＤとを比較し、視聴していないユーザＩＤがあるか無いかを判別する（ステップＳ４２）。視聴していないユーザＩＤがないと判別した場合（ステップＳ４２のＮｏ）、制御部３０は自動的にコンテンツを削除する機能が有効になっているか否かを判別する（ステップＳ４３）。機能が有効になっていると判別した場合（ステップＳ４３のＹｅｓ）、制御部３０はコンテンツを削除する（ステップＳ４４）。
【００３５】
視聴していないユーザＩＤがあると判別した場合（ステップＳ４２のＹｅｓ）、あるいは自動削除機能が有効ではない場合（ステップＳ４３のＮｏ）、コンテンツを削除せずに終了する。
【００３６】
次に、ユーザがコンテンツを削除しようとした場合に、未視聴ユーザがいるか否かを判別し未視聴ユーザが居る場合には警告メッセージを表示する例について図８のフローチャートを参照して説明する。
【００３７】
ユーザがリモートコントローラ６０を操作してコンテンツの削除を指令した場合、制御部３０はコンテンツプロパティＤＢ５３のアクセス可能ユーザＩＤと視聴済みユーザＩＤとを比較し、未視聴ユーザＩＤがあるか否かを判別する（ステップＳ５１）。未視聴ユーザがない場合（ステップＳ５１のＮｏ）制御部３０はコンテンツを削除する（ステップＳ５４）。
【００３８】
未視聴ユーザＩＤがある場合（ステップＳ５１のＹｅｓ）、図９に示すような警告メッセージを表示し、本当に削除していいかユーザに選択させる（ステップＳ５２）。ユーザが“はい”を選択することによって削除をすることを判別した場合（ステップＳ５３のＹｅｓ）、制御部３０はコンテンツを削除する（ステップＳ５４）。ユーザが“いいえ”を選択することによって削除することを辞めた場合、処理を終了する。
【００３９】
以上の処理で、コンテンツを再生していないユーザがいる場合に、本当に削除していいかをユーザに問い合わせることができる。なお、視聴済みユーザＩＤに登録されていないユーザＩＤの優先度が削除しようとしているユーザＩＤユーザ情報の優先度より高い場合、削除できないようにしても良い。
【００４０】
次に、異なるユーザが設定を行った録画予約の時間が重なった場合の処理について説明する。
【００４１】
録画予約の設定例を図１０に示す。図１０に示すように、録画予約時には、ユーザ識別情報に基づいて、予約情報に、録画予約者の情報（ユーザＩＤ）が付与される。この情報は、予約済み番組の詳細情報を表示することで確認できる。録画予約の日時が重なった場合に、ユーザＩＤおよびユーザ情報ＤＢ５１の優先順位を参照することでどちらの録画予約処理を行うか判別する。処理の手順を図１１を参照して説明する。
【００４２】
ユーザの予約操作処理が終了すると、タイマーマイコン部３４は、予約日時が重複する設定があるか否かを判別する（ステップＳ６１）。重複しない場合（ステップＳ６１のＮｏ）、タイマーマイコン部３４は処理を終了する。
【００４３】
重複する日時の予約設定がある場合（ステップＳ６１のＹｅｓ）、タイマーマイコン部３４は重複している録画予約設定を参照することによって設定ユーザＩＤを取得する。そして、ユーザ情報ＤＢ５１からタイマーマイコン部３４はレジスタ３６に登録されているユーザＩＤおよび設定ユーザＩＤの優先度をそれぞれ取得する。
【００４４】
タイマーマイコン部３４はレジスタ３６に保存されているユーザＩＤの優先度が設定ユーザＩＤの優先度よりも高いか否かを判別する（ステップＳ６２）。優先度が高い場合（ステップＳ６２のＹｅｓ）、タイマーマイコン部３４は重複する録画予約設定を無効にする（ステップＳ６３）。優先度が高くない場合（ステップＳ６２のＮｏ）、タイマーマイコン部３４は、予約操作終了した録画予約設定を無効にする（ステップＳ６４）なお、録画予約設定を無効にする場合、録画予約設定を削除しないことが好ましい。ユーザが設定ユーザＩＤの優先度の高い録画予約設定を削除した場合、重複していた設定ユーザＩＤの優先度の高い録画予約設定を復活させることができる。
【００４５】
ユーザインタフェースについても、ユーザＩＤに応じて変わる。例えば、メニューの構成（簡易モード、詳細モード等）やスキン（画面レイアウト、色構成等）が変わる。テレビ放送を見る場合には、お気に入りのチャンネル一覧や前回見ていたチャンネル番号がユーザＩＤに応じて変わる。
【００４６】
なお、上述した例ではユーザを特定するために指紋認証を用いたが、操作ボタンを操作することによってユーザを特定しても良い。また、指紋認証以外の生体認証を用いても良い。
【００４７】
録画予約時には、ユーザ識別情報に基づいて、予約情報に、録画予約者の情報が付与される。この情報は、予約済み番組の詳細情報を表示することで、確認できる。また、この予約情報は、ホームネットワークにつながった機器に公開され、ホームネットワークにつながった各機器から、確認することができる。
【００４８】
また、この予約情報は、ホームネットワークにつながった機器に公開され、ホームネットワークにつながった各機器から、確認することができる。また、各機器ごとに、予約時のユーザ優先順位を定義しておくことができ、優先順位が高いユーザの録画予約を優先することができる。
【００４９】
なお、上述した例ではビデオビデオレコーダの例について説明したが、これに限らない。
【００５０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５１】
【図１】本発明の一実施形態に係る電子機器としての録画再生装置およびリモートコントロール装置の構成を示す図。
【図２】本発明の一実施形態に係るユーザ情報データベースの一例を示す図。
【図３】本発明の一実施形態に係るコンテンツプロパティの一例を示す図。
【図４】ユーザがリモートコントロールを用いて操作するときの処理の手順の一例を示すフローチャート。
【図５】コンテンツの一覧を表示する場合の処理の手順お一例を示すフローチャート。
【図６】ンテンツの詳細プロパティ画面を表示例を示す図。
【図７】自動的にコンテンツを削除する処理の手順の一例を示すフローチャート。
【図８】ユーザがコンテンツを削除するときの処理の手順の一例を示すフローチャート。
【図９】未視聴ユーザがいる場合に表示される警告メッセージの一例を示す図。
【図１０】録画予約の設定例を示す図。
【図１１】録画予約を設定した後の処理の手順の一例を示す図。
【符号の説明】
【００５２】
１０…録画再生装置，１３…チューナ部，１８…ハードディスクドライブ，１９…光ディスクドライブ部，２１…エンコーダ部，２３…デコーダ部，２４…音声映像処理部，３０…制御部，３２…赤外線信号受信部，３４…タイマーマイコン部，３５…メモリ，３６…レジスタ，４１…受像機，４３…表示制御部，５１…ユーザ情報データベース，５２…コンテンツデータベース，５３…コンテンツプロパティデータベース，６０…リモートコントローラ，６１…制御部，６２…操作ボタン，６３…指紋センサ，６４…認証処理部，６５…認証情報管理部，６６…赤外線信号送信部
【図１】
2007300402.tif 000003
【図２】
2007300402.tif 000004
【図３】
2007300402.tif 000005
【図４】
2007300402.tif 000006
【図５】
2007300402.tif 000007
【図６】
2007300402.tif 000008
【図７】
2007300402.tif 000009
【図８】
2007300402.tif 000010
【図９】
2007300402.tif 000011
【図１０】
2007300402.tif 000012
【図１１】
2007300402.tif 000013